【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
前駆体酸コポリマーの中和生成物であるアイオノマーを含むアイオノマー組成物であって：
（Ａ）前記前駆体酸コポリマーは、２〜１０個の炭素原子を有するα−オレフィンの共重合単位と、前記前駆体酸コポリマーの総重量に基づき約２０〜約３０重量％の、３個〜８個の炭素原子を有するα，β−エチレン性不飽和カルボン酸の共重合単位とを含み；
（Ｂ）前記前駆体酸コポリマーは、約１０〜約４０００ｇ／１０分のメルトフローレートを有し；そして
（Ｃ）前記前駆体酸コポリマーは、約４０％〜約９０％のレベルまで中和され、かつナトリウムカチオンから実質的になる対イオンを含む場合、ナトリウムアイオノマーを生成し、前記ナトリウムアイオノマーは、約０．７〜約２５ｇ／１０分のメルトフローレート、およびＡＳＴＭ  Ｄ３４１８に準拠して示差走査熱分析により測定される場合に検出不可能な、または約３．０ｊ／ｇ未満の凍結エンタルピーを有する
アイオノマー組成物。
【請求項２】
前記前駆体酸コポリマーが、約１００〜約５００ｇ／１０分のメルトフローレートを有するか；または前駆体酸コポリマーが、約２０〜約２５重量％の、前記α，β−エチレン性不飽和カルボン酸の共重合単位を含むか；または前記前駆体酸コポリマー中に存在する約４０％〜約７０％のカルボン酸基が、ナトリウムイオン含有塩基によって中和されているか；または前記アイオノマーが、約１〜約１０ｇ／１０分のメルトフローレートを有するか；または前記アイオノマーが、検出不可能な凍結エンタルピーを有する、請求項１に記載のアイオノマー組成物。
【請求項３】
酸コポリマーであって、
（Ａ）２個〜１０個の炭素原子を有するα−オレフィンの共重合単位と、前記酸コポリマーの総重量に基づき約２０〜約３０重量％の、３個〜８個の炭素原子を有するα，β−エチレン性不飽和カルボン酸の共重合単位とを含み；
（Ｂ）前記酸コポリマーは、約１０〜約４０００ｇ／１０分のメルトフローレートを有し；そしてさらに
（Ｃ）前記酸コポリマーは、約４０％〜約９０％のレベルまで中和され、かつナトリウムカチオンから実質的になる対イオンを含む場合、ナトリウムアイオノマーを生成し、前記ナトリウムアイオノマーは、約０．７〜約２５ｇ／１０分のメルトフローレート、およびＡＳＴＭ  Ｄ３４１８に準拠して示差走査熱分析により測定される場合に検出不可能な、または約３．０ｊ／ｇ未満の凍結エンタルピーを有する
酸コポリマー。
【請求項４】
請求項１に記載のアイオノマー組成物もしくは請求項３に記載の前駆体酸コポリマーを含む、または請求項１に記載のアイオノマー組成物もしくは請求項３に記載の前駆体酸コポリマーから製造された物品。
【手続補正２】
【補正対象書類名】明細書
【補正対象項目名】００８１
【補正方法】変更
【補正の内容】
【００８１】
本発明の好ましい実施形態のうちの幾つかを上記で説明し、具体的に例示してきたが、本発明をそのような実施形態に限定することを意図するものではない。以下の特許請求の範囲に示される本発明の範囲および精神から逸脱することなく、種々の変更が加えられ得る。
次に、本発明の態様を示す。
1.  前駆体酸コポリマーの中和生成物であるアイオノマーを含むアイオノマー組成物であって：
（Ａ）前記前駆体酸コポリマーは、２〜１０個の炭素原子を有するα−オレフィンの共重合単位と、前記前駆体酸コポリマーの総重量に基づき約２０〜約３０重量％の、３個〜８個の炭素原子を有するα，β−エチレン性不飽和カルボン酸の共重合単位とを含み；
（Ｂ）前記前駆体酸コポリマーは、約１０〜約４０００ｇ／１０分のメルトフローレートを有し；そして
（Ｃ）前記前駆体酸コポリマーは、約４０％〜約９０％のレベルまで中和され、かつナトリウムカチオンから実質的になる対イオンを含む場合、ナトリウムアイオノマーを生成し、前記ナトリウムアイオノマーは、約０．７〜約２５ｇ／１０分のメルトフローレート、およびＡＳＴＭ  Ｄ３４１８に準拠して示差走査熱分析により測定される場合に検出不可能な、または約３．０ｊ／ｇ未満の凍結エンタルピーを有する
アイオノマー組成物。
2.  前記前駆体酸コポリマーが、約１００〜約５００ｇ／１０分のメルトフローレートを有するか；または前駆体酸コポリマーが、約２０〜約２５重量％の、前記α，β−エチレン性不飽和カルボン酸の共重合単位を含むか；または前記前駆体酸コポリマー中に存在する約４０％〜約７０％のカルボン酸基が、ナトリウムイオン含有塩基によって中和されているか；または前記アイオノマーが、約１〜約１０ｇ／１０分のメルトフローレートを有するか；または前記アイオノマーが、検出不可能な凍結エンタルピーを有する、上記１に記載のアイオノマー組成物。
3.  酸コポリマーであって、
（Ａ）２個〜１０個の炭素原子を有するα−オレフィンの共重合単位と、前記酸コポリマーの総重量に基づき約２０〜約３０重量％の、３個〜８個の炭素原子を有するα，β−エチレン性不飽和カルボン酸の共重合単位とを含み；
（Ｂ）前記酸コポリマーは、約１０〜約４０００ｇ／１０分のメルトフローレートを有し；そしてさらに
（Ｃ）前記酸コポリマーは、約４０％〜約９０％のレベルまで中和され、かつナトリウムカチオンから実質的になる対イオンを含む場合、ナトリウムアイオノマーを生成し、前記ナトリウムアイオノマーは、約０．７〜約２５ｇ／１０分のメルトフローレート、およびＡＳＴＭ  Ｄ３４１８に準拠して示差走査熱分析により測定される場合に検出不可能な、または約３．０ｊ／ｇ未満の凍結エンタルピーを有する
酸コポリマー。
4.  上記１に記載のアイオノマー組成物もしくは上記３に記載の前駆体酸コポリマーを含む、または上記１に記載のアイオノマー組成物もしくは上記３に記載の前駆体酸コポリマーから製造された物品。
5.  前記物品が、浸漬被覆、溶液流延、積層、溶融押出、ブローンフィルム、押出被覆、およびタンデム押出被覆からなる群より選択される方法により製造されたフィルムもしくはシートである；または前記物品が、圧縮成形、射出成形、押出成形、吹込成形、同時射出成形；オーバーモールド成形；射出吹込成形；射出延伸吹込成形、および押出吹込成形からなる群より選択される方法によって製造された成形品である、上記４に記載の物品。
6.  前記物品が、前記アイオノマー組成物を含むか、もしくは前記アイオノマー組成物から製造される、少なくとも約１ｍｍの最小厚さを有する射出成形品である；または前記物品が、多層構造を有する射出成形品であり、前記多層構造の少なくとも１層が、前記アイオノマー組成物を含むか、もしくは前記アイオノマー組成物から製造され、前記少なくとも１層が、少なくとも約１ｍｍの最小厚さを有する、上記４または５に記載の物品。
7.  前記物品が、シート、容器、キャップもしくはストッパー、トレー、医療用デバイスもしくは器具、ハンドル、ノブ、押ボタン、装飾用品、パネル、コンソールボックス、または履物部材である、上記４〜６のいずれか１項に記載の物品。
8.  上記１に記載のアイオノマー組成物から実質的になり、約１〜約１００ｍｍの厚さを有する、射出成形により調製された物品。
9.  前記物品が、オーバーモールド成形により製造され、前記アイオノマーが、約０．７５〜約３５ｇ／１０分のメルトフローレートを有するか；または前記物品が、射出吹込成形、射出延伸吹込成形もしくは押出吹込成形により製造され；前記前駆体酸コポリマーが、約２００〜約５００ｇ／１０分のメルトインデックスを有し；かつ前記アイオノマーが、約０．７５〜約３５ｇ／１０分のメルトフローレートを有する、上記５に記載の物品。